(57)【要約】【課題】  ホーム柵本体の戸出入り口部と可動扉に指を挟まれ難いものとし、また、可動扉が戸出入り口ゴムに摺動しても可動扉の表面側に摺動跡が付着せず、しかも、戸出入り口ゴムの取替えを容易にし、作業効率を向上できる可動式ホーム柵を得る。【解決手段】  ホーム柵本体２と、このホーム柵本体２に連結され、横方向に移動して出入り口を開閉する可動扉３とを備え、ホームの乗客と電車軌道を隔離する可動式ホーム柵において、ホーム柵本体２の戸出入り口部と可動扉３の間に指を挟まれ難い所定形状の戸出入り口ゴム８を、ホーム柵本体２の戸出入り口部に設け、戸出入り口ゴムの８表面に植毛加工を施す。【選択図】        図１
2005324562.tif 000002
【特許請求の範囲】
【請求項１】
ホーム柵本体と、このホーム柵本体に連結され、横方向に移動して出入り口を開閉する可動扉とを備え、ホームの乗客と電車軌道を隔離する可動式ホーム柵において、上記ホーム柵本体の戸出入り口部と上記可動扉の間に指を挟まれ難い所定形状の部材を、上記ホーム柵本体の戸出入り口部に設けたことを特徴とする可動式ホーム柵。
【請求項２】
上記所定形状の部材の表面に植毛加工を施したことを特徴とする請求項１記載の可動式ホーム柵。
【請求項３】
上記所定形状の部材の表面に加工する植毛を色分けするようにしたことを特徴とする請求項２記載の可動式ホーム柵。
【請求項４】
上記所定形状の部材の表面に加工する植毛の毛の長さを長くしたことを特徴とする請求項２または３記載の可動式ホーム柵の戸出入り口ゴム。
【請求項５】
上記所定形状の部材を保持用の目地の中に差し込み、該目地をホーム柵本体の戸出入り口部の薄板小口部分に被せる構造としたことを特徴とする請求項２〜４のいずれかに記載の可動式ホーム柵。
【発明の詳細な説明】
【技術分野】
【０００１】
この発明は、鉄道のホームで待っている乗客と電車軌道を隔離するために設置される可動式ホーム柵に関するものである。
【背景技術】
【０００２】
従来、可動式ホーム柵は、プラットホーム床にアンカー固定されたホーム柵本体の戸出入り口開口端部内側に、予め複数個の溶殖スタッドを等ピッチで溶接しておき、戸出入り口ゴムと押え金の穴部に複数個の溶殖スタッドを嵌め込みナットにより固定する。そして、戸出入り口開口他端部(車両側)はスペースが小さい関係でＬ型押え金とホーム柵本体で戸出入り口ゴムを挟み込み、Ｌ型押え金穴部に複数個の溶殖スタッドを嵌め込みナットにより固定する。
このように、従来の可動式ホーム柵は、その戸出入り口ゴムがホーム柵本体の戸出入り口開口両端部に取り付けられるものである（例えば、特許文献１および２参照）。
【０００３】
【特許文献１】特開平９−２２６５６８号公報
【特許文献２】特開２００３−０１２２５５号公報
【発明の開示】
【発明が解決しようとする課題】
【０００４】
従来の可動式ホーム柵は、以上のように構成されているので、戸出入り口ゴムが緩んで指が可動扉と戸出入り口ゴムの隙間部に入りやすく、戸出入り口開口端部の小口部分で怪我をするおそれが高かった。また、指を入り難くするため戸出入り口ゴムと可動扉の隙間を最小とするので、製品の反り・製作誤差等で戸出入り口ゴムと可動扉が摺動して可動扉の意匠面に黒いゴムの跡が付着し、意匠上見苦しくなる。さらに、戸出入り口ゴムの取り替え時、ホーム柵本体の内側に取付けてある戸出入り口ゴム押え金のナットを取り外さなければならず、メクラ作業となるので作業効率が悪いと言う問題点があった。
【０００５】
この発明は、上記のような課題を解決するためになされたもので、ホーム柵本体の戸出入り口部と可動扉に指を挟まれ難いものとし、また、可動扉が指を挟まれ難いように設けた部材に摺動しても可動扉の表面側に摺動跡が付着せず、しかも、指を挟まれ難いように設けた部材の取替えを容易にし、作業効率を向上できる可動式ホーム柵を得ることを目的とする。
【課題を解決するための手段】
【０００６】
この発明に係る可動式ホーム柵は、ホーム柵本体と、このホーム柵本体に連結され、横方向に移動して出入り口を開閉する可動扉とを備え、ホームの乗客と電車軌道を隔離する可動式ホーム柵において、ホーム柵本体の戸出入り口部と可動扉の間に指を挟まれ難い所定形状の部材を、ホーム柵本体の戸出入り口部に設けたものである。
【発明の効果】
【０００７】
この発明は、ホーム柵本体の戸出入り口部に、指を挟まれ難い所定形状の部材を設けることで、ホーム柵本体の戸出入り口部と可動扉に指を挟まれて怪我をする等の不具合を防止できる。
【発明を実施するための最良の形態】
【０００８】
以下、この発明の一実施の形態を、図１〜図６を参照して説明する。
実施の形態１．
図１〜図４は、この発明の実施の形態１による可動式ホーム柵を示すもので、図１は可動式ホーム柵をプラットホーム側から見た全体図、図２は、図１の線I−Iの部分を切断して示す断面図、図３は図２におけるIII部の詳細を示す断面図、図４は図２の矢視IVの詳細を示す斜視図である。
【０００９】
図１において、プラットホーム床１にアンカー固定されたホーム柵本体２が対向して向き合い、可動扉３の戸先に固定された戸先ゴム４と可動扉３の開閉により、プラットホームと車両側(起動側)を開放・閉鎖する。つまり、可動扉３は、ホーム柵本体２に実質的に連結され、横方向に移動して出入り口を開閉する。
図２〜図４において、ホーム柵本体２の戸出入り口開口端部に、アルミ素材を押出し成形した目地５の細溝部５ａを嵌め込むと同時に複数の穴部５ｂを予めホーム柵本体２のＬ型補強に溶接された溶植スタッド６に嵌め込み、ナット７で固定し、これをホーム柵本体２の戸出入り口開口の両端部に配置する。
【００１０】
さらに、ホーム柵本体２の戸出入り口部と可動扉３の間に指を挟まれ難い所定形状の部材、例えば先端が直角三角形を成し、その二辺に植毛加工を施して形成された植毛８ａを有する戸出入り口ゴム８を、ホーム柵本体２の戸出入り口部に設け、この戸出入り口ゴム８を、そのフラット側を外側にし、ホーム柵本体２にヒンジ固定され回転可能な上蓋２ａを開き、ゴム挿入穴２ｂから目地５のゴム挿入溝５ｃに挿入する。つまり、戸出入り口ゴム８を保持用の目地５の中に差し込み、この目地５をホーム柵本体２の戸出入り口部の薄板小口部分に被せる構造とする。
【００１１】
以上のように、この実施の形態１によれば、ホーム柵本体の戸出入り口部と可動扉に指を挟まれ難い形状の戸出入り口ゴムを設けることで、ホーム柵本体の戸出入り口部と可動扉に指を挟まれて怪我をする等の不具合を防止でき、また、戸出入り口ゴムの表面に植毛加工を施すことで、可動扉が戸出入り口ゴムに摺動しても可動扉の表面側に摺動跡が付着しないようにすることができる。
さらに、ホーム柵本体の戸出入り口ゴムを保持用の目地の中に差し込む構造とし、しかも、戸出入り口部の薄板小口部分に目地を被せる構造とすることで、怪我等の不具合を防止できると共に、ゴムの取り替えを容易にし、作業効率を向上できる。
【００１２】
実施の形態２．
図５は、この発明の実施の形態２による可動式ホーム柵の要部を示す斜視図である。なお、図５において、図１と対応する部分には同一符号を付し、その詳細説明を省略する。
本実施の形態では、戸出入り口ゴムの表面に加工する植毛を色分け(ストライプ等)するもので、本実施の形態における構造については、実質的に上記実施の形態１と同一であるが、実施の形態１の図３の矢視Ｖの部分の構造が、図５に示すように異なる。
【００１３】
図５において、戸出入り口ゴム８の直角三角形の一辺(外側)に通常の植毛加工を施して植毛８ａを形成すると共に色違いの植毛加工を施して植毛８ｂを形成し、他辺(内側)には通常の植毛加工を施して植毛８ａを形成する。なお、通常の植毛８ａと色違いの植毛８ｂの色は、ホーム柵本体２の色と調和する色に合せるように設定してもよい。
【００１４】
以上のように、この実施の形態２においても、上記実施の形態１と同様の効果が得られると共に、本実施の形態では、さらに、戸出入り口ゴムの表面に加工する植毛を色分けすることで、利用者の注意を引き、ホーム柵本体の戸出入り口部と可動扉に指を挟まれて怪我をする等の不具合を防止でき、また、植毛の色をホーム柵の色と調和する色に合せることで、その意匠性を向上できる。
【００１５】
実施の形態３．
図６は、この発明の実施の形態３による可動式ホーム柵の戸出入り口ゴムを示す構成図である。なお、図６において、図１と対応する部分には同一符号を付し、その詳細説明を省略する。
本実施の形態では、戸出入り口ゴムの表面に加工する植毛の毛の長さを長くするもので、本実施の形における構造については、実質的に上記実施の形態１と同一であるが、図２のIII部詳細の部分が、図６に示すように異なる。
【００１６】
図６において、戸出入り口ゴム８の頂部に長い毛の植毛加工を施して植毛８ｃを形成し、他辺には短い毛の植毛加工即ち通常の植毛加工を施して植毛８ａを形成する。なお、長い毛の植毛８ｃの右側に散在するものは、一例としてこの長い毛の植毛８ｃで弾かれたゴミ等を表しており、このようにして、ホーム柵本体２の戸出入り口ゴム８の頂部に長い毛の植毛８ｃを設け、ホーム柵本体２の戸出入り口ゴム８と可動扉３との隙間を限りなく無しに近づけて、ホーム柵本体２内にゴミ・ホコリ・雨などが進入しないようにする。
【００１７】
以上のように、この実施の形態３においても、上記実施の形態１と同様の効果が得られると共に、本実施の形態では、さらに、ホーム柵本体の戸出入り口ゴム頂部に加工する植毛の毛の長さを長くし、可動扉との隙間を限りなく無しに近づけることで、可動式ホーム柵の本体内へのゴミ・ホコリ・雨などの進入を防ぐことができる。
【００１８】
なお、上記実施の形態１〜３においては、ホーム柵本体の戸出入り口部と可動扉の間に指を挟まれ難い所定形状の部材として、戸出入り口ゴムの場合について説明したが、これに限定されることなく、同様の効果が得られれば、その他の部材を用いてもよい。
【図面の簡単な説明】
【００１９】
【図１】この発明の実施の形態１による可動式ホーム柵をプラットホーム側から見た全体図である。
【図２】この発明の実施の形態１による可動式ホーム柵におけるホーム柵本体の線I-Iの部分を切断して示す断面図である。
【図３】図２のIII部の詳細を示す断面図である。
【図４】図３の矢視Ｖの詳細を示す斜視図である。
【図５】この発明の実施の形態２による可動式ホーム柵の要部を示す斜視図である。
【図６】この発明の実施の形態３による可動式ホーム柵の要部を示す断面図である。
【符号の説明】
【００２０】
２  ホーム柵本体、  ２ａ  上蓋、  ２ｂ  ゴム挿入穴、  ３  可動扉、  ５  目地、  ５ａ  目地の細溝部、  ５ｂ  目地の穴部、  ５ｃ  目地のゴム挿入溝、  ８  戸出入り口ゴム、  ８ａ  通常の植毛（短い毛の植毛）、  ８ｂ  色違いの植毛、  ８ｃ  長い毛の植毛。
【図１】
2005324562.tif 000003
【図２】
2005324562.tif 000004
【図３】
2005324562.tif 000005
【図４】
2005324562.tif 000006
【図５】
2005324562.tif 000007
【図６】
2005324562.tif 000008